(57)【要約】【課題】動作不良の発生を抑制しつつ、トランジスタに対するストレスを抑制する。【解決手段】パルス信号を出力する機能を有し、該パルス信号をハイレベルに設定するか否かを制御するトランジスタを有するパルス出力回路において、該パルス出力回路が出力するパルス信号がローレベルである期間に、該トランジスタのソース及びドレインの一方の電位を、クロック信号のローレベルの電位よりも高くし、且つハイレベルの電位よりも高くする。これにより、上記トランジスタに対するストレスの抑制を図る。【選択図】図１
2020098660.tif 000002
【特許請求の範囲】
【請求項１】
同一の導電型の第１乃至第５のトランジスタを有し、
前記第１のトランジスタのソース又はドレインの一方は、前記第２のトランジスタのソース又はドレインの一方と電気的に接続され、
前記第２のトランジスタのソース又はドレインの他方は、前記第３のトランジスタのソース又はドレインの一方と電気的に接続され、
前記第２のトランジスタのソース又はドレインの他方は、出力信号が出力される配線と電気的に接続され、
前記第４のトランジスタのソース又はドレインの一方は、前記第１のトランジスタのゲートと電気的に接続され、
前記第４のトランジスタのゲートは、前記第３のトランジスタのゲートと電気的に接続され、
前記第５のトランジスタのソース又はドレインの一方は、前記第１のトランジスタのゲートと電気的に接続され、
前記第５のトランジスタのソース又はドレインの他方は、前記第２のトランジスタのゲートと電気的に接続される出力回路。
【請求項２】
同一の導電型の第１乃至第５のトランジスタを有し、
前記第１のトランジスタのソース又はドレインの一方は、前記第２のトランジスタのソース又はドレインの一方と電気的に接続され、
前記第２のトランジスタのソース又はドレインの他方は、前記第３のトランジスタのソース又はドレインの一方と電気的に接続され、
前記第２のトランジスタのソース又はドレインの他方は、出力信号が出力される配線と電気的に接続され、
前記第３のトランジスタのソース又はドレインの他方は、第１の配線と電気的に接続され、
前記第４のトランジスタのソース又はドレインの一方は、前記第１のトランジスタのゲートと電気的に接続され、
前記第４のトランジスタのソース又はドレインの他方は、第２の配線と電気的に接続され、
前記第４のトランジスタのゲートは、前記第３のトランジスタのゲートと電気的に接続され、
前記第５のトランジスタのソース又はドレインの一方は、前記第１のトランジスタのゲートと電気的に接続され、
前記第５のトランジスタのソース又はドレインの他方は、前記第２のトランジスタのゲートと電気的に接続される出力回路。
【発明の詳細な説明】
【技術分野】
【０００１】
本発明は、パルス出力回路に関する。さらに、本発明は、表示装置に関する。さらに、本
発明は、電子機器に関する。
【背景技術】
【０００２】
近年、作製プロセスの簡略化などを目的として、全てのトランジスタが同一の導電型であ
る回路（単極性回路ともいう）の開発が進められている。
【０００３】
上記単極性回路の例としては、シフトレジスタを構成するパルス出力回路が挙げられる。
【０００４】
例えば、特許文献１では、クロック信号のパルスを、パルス信号のパルスの生成に用いた
パルス出力回路を複数段有するシフトレジスタが開示されている。さらに、特許文献１で
は、ブートストラップを利用することにより、クロック信号の振幅に対し、出力するパル
ス信号の振幅の低下を抑制するシフトレジスタが開示されている。
【先行技術文献】
【特許文献】
【０００５】
【特許文献１】特開２００２−３３５１５３号公報
【発明の概要】
【発明が解決しようとする課題】
【０００６】
しかしながら、従来のパルス出力回路の構成では、クロック信号の振幅が大きいとトラン
ジスタが劣化し、該トランジスタの電気特性が変動してしまうといった問題があった。
【０００７】
例えば、特許文献１のシフトレジスタでは、パルス出力回路から出力するパルス信号がロ
ーレベルのときに、出力するパルス信号をハイレベルに設定するか否かを制御するトラン
ジスタ（例えば特許文献１の図１（Ｂ）のトランジスタ１５）のゲートの電位が電位ＶＳ
Ｓに一定期間保持される。このとき、クロック信号に従って上記トランジスタのソース又
はドレインの電位が繰り返し変化するため、該トランジスタにストレスが与えられる。こ
れにより、上記トランジスタは劣化する。特に、特許文献１のシフトレジスタでは、上記
ストレスが与えられる時間が非常に長いため、該上記トランジスタが劣化しやすく、電気
特性の変動が進行してしまう。
【０００８】
トランジスタに与えられる上記ストレスの影響を抑制するためには、例えばトランジスタ
のチャネル長を長くするなどの対策が挙げられる。しかしながら、出力するパルス信号を
ハイレベルに設定するか否かを制御するトランジスタのチャネル長を長くすると、例えば
寄生容量などにより、出力するパルス信号が遅延し、動作不良が起こる可能性が高くなる
などの別の問題が生じてしまう。
【０００９】
上記問題に鑑み、本発明の一態様では、動作不良の発生を抑制しつつ、出力するパルス信
号をハイレベルに設定するか否かを制御するトランジスタに対するストレスを抑制するこ
とを課題の一つとする。
【課題を解決するための手段】
【００１０】
本発明の一態様では、パルス出力回路が出力するパルス信号がローレベルである期間に、
該パルス信号をハイレベルに設定するか否かを制御するトランジスタのソース及びドレイ
ンの一方の電位を、クロック信号のハイレベルの電位よりも低くする。これにより、上記
トランジスタに対するストレスの抑制を図る。
【００１１】
本発明の一態様は、セット信号、リセット信号、及びクロック信号に従いパルス信号を生
成する機能を有し、ソース及びドレインの一方の電位がクロック信号に従い変化する第１
のトランジスタと、ソース及びドレインの一方が第１のトランジスタのソース及びドレイ
ンの他方に電気的に接続され、ソース及びドレインの他方の電位がパルス信号の電位とな
り、ゲートの電位がセット信号及びリセット信号に従い変化する第２のトランジスタと、
ソース及びドレインの一方に第１の電位が与えられ、ソース及びドレインの他方が第２の
トランジスタのソース及びドレインの他方に電気的に接続され、ゲートの電位に応じてオ
ン状態又はオフ状態になることによりパルス信号をローレベルに設定するか否かを制御す
る第３のトランジスタと、ソース及びドレインの一方に第２の電位が与えられ、ソース及
びドレインの他方が第１のトランジスタのゲートに電気的に接続され、ゲートの電位がセ
ット信号及びリセット信号に従い変化する第４のトランジスタと、ソース及びドレインの
一方の電位がセット信号及びリセット信号に応じて変化し、ソース及びドレインの他方が
第１のトランジスタのゲートに電気的に接続され、ゲートの電位がセット信号に従い変化
する第５のトランジスタと、を有し、第１乃至第５のトランジスタは、同一の導電型であ
り、第２の電位は、クロック信号のローレベルの電位よりも高く、且つクロック信号のハ
イレベルの電位よりも低く、第２の電位とクロック信号のローレベルの電位との電位差は
、第１のトランジスタのしきい値電圧よりも大きいパルス出力回路である。
【発明の効果】
【００１２】
本発明の一態様により、出力するパルス信号をハイレベルに設定するか否かを制御するト
ランジスタのチャネル長を長くせずとも、該トランジスタに対するストレスを低減できる
。よって、上記トランジスタの劣化を抑制でき、電気特性の変動を抑制できる。
【図面の簡単な説明】
【００１３】
【図１】パルス出力回路の例を説明するための図。
【図２】パルス出力回路の例を説明するための図。
【図３】パルス出力回路の例を説明するための図。
【図４】パルス出力回路の例を説明するための図。
【図５】パルス出力回路の例を説明するための図。
【図６】パルス出力回路の例を説明するための図。
【図７】表示装置の例を説明するための図。
【図８】表示装置の例を説明するための図。
【図９】表示装置の例を説明するための図。
【図１０】表示装置の例を説明するための図。
【図１１】電子機器の例を説明するための図。
【発明を実施するための形態】
【００１４】
本発明に係る実施の形態の例について説明する。なお、本発明の趣旨及び範囲から逸脱す
ることなく実施の形態の内容を変更することは、当業者であれば容易である。よって、例
えば本発明は、下記実施の形態の記載内容に限定されない。
【００１５】
なお、各実施の形態の内容を互いに適宜組み合わせることができる。また、各実施の形態
の内容を互いに適宜置き換えることができる。
【００１６】
また、第１、第２などの序数は、構成要素の混同を避けるために付しており、各構成要素
の数は、序数に限定されない。
【００１７】
本明細書において、「平行」とは、二つの直線が−１０°以上１０°以下の角度で配置さ
れている状態をいう。従って、−５°以上５°以下の場合も含まれる。また、「垂直」と
は、二つの直線が８０°以上１００°以下の角度で配置されている状態をいう。従って、
８５°以上９５°以下の場合も含まれる。
【００１８】
また、本明細書において、結晶が三方晶または菱面体晶である場合、六方晶系として表す
。
【００１９】
（実施の形態１）
本実施の形態では、パルス出力回路の例について説明する。
【００２０】
図１は、本実施の形態に係るパルス出力回路の例を説明するための図である。パルス出力
回路ＳＲは、図１（Ａ）に示すように、入力されるセット信号Ｓ、リセット信号Ｒ、及び
クロック信号ＣＫに従い、パルス信号（出力信号ＯＵＴ）を生成する機能を有する。なお
、パルス出力回路ＳＲに複数種のクロック信号を入力してもよい。
【００２１】
さらに、図１（Ａ）に示すパルス出力回路ＳＲは、図１（Ｂ）に示すように、トランジス
タ１１乃至トランジスタ１５を有する。例えば、トランジスタ１１乃至トランジスタ１５
は、同一の導電型である。トランジスタ１１乃至トランジスタ１５のそれぞれは、セット
信号Ｓ、リセット信号Ｒ、及びクロック信号ＣＫの一つ又は複数に従い導通が制御される
。なお、図１（Ａ）に示すパルス出力回路ＳＲにトランジスタ１１乃至トランジスタ１５
以外の素子を設けてもよい。
【００２２】
トランジスタ１１のソース及びドレインの一方の電位は、クロック信号ＣＫに従い変化す
る。トランジスタ１１は、パルス信号（出力信号ＯＵＴ）のハイレベルの電位を制御する
機能を有する。例えば、トランジスタ１１は、パルス信号（出力信号ＯＵＴ）を、第１の
ハイレベルにするか否か、及び第２のハイレベルにするか否かを制御する機能を有する。
このとき、第２のハイレベルの電位は、第１のハイレベルの電位よりも小さい。
【００２３】
なお、「信号に従い電位が変化する」とは、「信号が直接入力されることで電位が該信号
の電位に変化する場合」のみに限定されない。例えば、「信号に従いスイッチがオン状態
になることにより、電位が変化する場合」や、「容量結合により、信号の変化に合わせて
電位が変化する場合」なども「信号に従い電位が変化する」に含まれる。
【００２４】
また、「信号に応じた電位」とは、「信号の電位と同じ値の電位」のみに限定されない。
例えば、電圧降下により信号の電位が変化した値も「信号に応じた電位」に含まれる。
【００２５】
トランジスタ１２のソース及びドレインの一方は、トランジスタ１１のソース及びドレイ
ンの他方に電気的に接続され、他方の電位がパルス信号（出力信号ＯＵＴ）の電位となる
。さらに、トランジスタ１２のゲートの電位は、セット信号Ｓ及びリセット信号Ｒに従い
変化する。トランジスタ１２は、パルス信号（出力信号ＯＵＴ）をハイレベルに設定する
か否かを制御する機能を有する。
【００２６】
トランジスタ１３のソース及びドレインの一方には、電位ＶＳＳが与えられ、他方は、ト
ランジスタ１２のソース及びドレインの他方に電気的に接続される。さらに、トランジス
タ１３のゲートの電位は、セット信号Ｓ及びリセット信号Ｒに従い変化する。なお、クロ
ック信号ＣＫとは異なるクロック信号によりトランジスタ１３のゲートの電位を制御して
もよい。トランジスタ１３は、ゲートの電位に応じてオン状態又はオフ状態になることに
より、パルス信号（出力信号ＯＵＴ）をローレベルに設定するか否かを制御する機能を有
する。
【００２７】
トランジスタ１４のソース及びドレインの一方には、電位Ｖａが与えられ、他方は、トラ
ンジスタ１１のゲートに電気的に接続される。さらに、トランジスタ１４のゲートの電位
は、セット信号Ｓ及びリセット信号Ｒに従い変化、又はクロック信号ＣＫに従い変化する
。トランジスタ１４は、トランジスタ１１のゲートの電位を電位Ｖａに応じた値に設定す
るか否かを制御する機能を有する。
【００２８】
なお、「電位に応じた値」とは、「該電位と同じ値」のみに限定されない。例えば、電圧
降下により上記電位の値から変化した場合も「電位に応じた値」に含まれる。
【００２９】
トランジスタ１５のソース及びドレインの一方の電位は、セット信号Ｓ及びリセット信号
Ｒに従い変化し、他方は、トランジスタ１１のゲートに電気的に接続される。さらに、ト
ランジスタ１５のゲートの電位は、セット信号Ｓに従い変化する。トランジスタ１５は、
トランジスタ１１のゲートを浮遊状態にするか否かを制御する機能を有する。
【００３０】
トランジスタ１１乃至トランジスタ１５としては、チャネル形成領域に例えばシリコンよ
りもバンドギャップが広い半導体を含むトランジスタを適用できる。バンドギャップの広
い半導体としては、例えば酸化物半導体を適用できる。ただし、これに限定されず、例え
ば１４族（シリコンなどの）の元素を有する半導体を含むトランジスタをトランジスタ１
１乃至トランジスタ１５に用いてもよい。このとき、１４族の元素を有する半導体が単結
晶、多結晶、又は非晶質でもよい。
【００３１】
上記酸化物半導体としては、例えばＩｎ系金属酸化物、Ｚｎ系金属酸化物、Ｉｎ−Ｚｎ系
金属酸化物、又はＩｎ−Ｇａ−Ｚｎ系金属酸化物などを適用できる。また、上記Ｉｎ−Ｇ
ａ−Ｚｎ系金属酸化物に含まれるＧａの一部若しくは全部の代わりに他の金属元素を含む
金属酸化物を用いてもよい。
【００３２】
以下、酸化物半導体膜の構造について説明する。
【００３３】
酸化物半導体膜は、単結晶酸化物半導体膜と非単結晶酸化物半導体膜とに大別される。非
単結晶酸化物半導体膜とは、非晶質酸化物半導体膜、微結晶酸化物半導体膜、多結晶酸化
物半導体膜、ＣＡＡＣ−ＯＳ（Ｃ  Ａｘｉｓ  Ａｌｉｇｎｅｄ  Ｃｒｙｓｔａｌｌｉｎｅ
Ｏｘｉｄｅ  Ｓｅｍｉｃｏｎｄｕｃｔｏｒ）膜などをいう。
【００３４】
非晶質酸化物半導体膜は、膜中における原子配列が不規則であり、結晶成分を有さない酸
化物半導体膜である。微小領域においても結晶部を有さず、膜全体が完全な非晶質構造の
酸化物半導体膜が典型である。
【００３５】
微結晶酸化物半導体膜は、例えば、１ｎｍ以上１０ｎｍ未満の大きさの微結晶（ナノ結晶
ともいう。）を含む。従って、微結晶酸化物半導体膜は、非晶質酸化物半導体膜よりも原
子配列の規則性が高い。そのため、微結晶酸化物半導体膜は、非晶質酸化物半導体膜より
も欠陥準位密度が低いという特徴がある。
【００３６】
ＣＡＡＣ−ＯＳ膜は、複数の結晶部を有する酸化物半導体膜の一つであり、ほとんどの結
晶部は、一辺が１００ｎｍ未満の立方体内に収まる大きさである。従って、ＣＡＡＣ−Ｏ
Ｓ膜に含まれる結晶部は、一辺が１０ｎｍ未満、５ｎｍ未満または３ｎｍ未満の立方体内
に収まる大きさの場合も含まれる。ＣＡＡＣ−ＯＳ膜は、微結晶酸化物半導体膜よりも欠
陥準位密度が低いという特徴がある。以下、ＣＡＡＣ−ＯＳ膜について詳細な説明を行う
。
【００３７】
ＣＡＡＣ−ＯＳ膜を透過型電子顕微鏡（ＴＥＭ：Ｔｒａｎｓｍｉｓｓｉｏｎ  Ｅｌｅｃｔ
ｒｏｎ  Ｍｉｃｒｏｓｃｏｐｅ）によって観察すると、結晶部同士の明確な境界、即ち結
晶粒界（グレインバウンダリーともいう。）を確認することができない。そのため、ＣＡ
ＡＣ−ＯＳ膜は、結晶粒界に起因する電子移動度の低下が起こりにくいといえる。
【００３８】
ＣＡＡＣ−ＯＳ膜を、試料面と概略平行な方向からＴＥＭによって観察（断面ＴＥＭ観察
）すると、結晶部において、金属原子が層状に配列していることを確認できる。金属原子
の各層は、ＣＡＡＣ−ＯＳ膜の膜を形成する面（被形成面ともいう。）または上面の凹凸
を反映した形状であり、ＣＡＡＣ−ＯＳ膜の被形成面または上面と平行に配列する。
【００３９】
一方、ＣＡＡＣ−ＯＳ膜を、試料面と概略垂直な方向からＴＥＭによって観察（平面ＴＥ
Ｍ観察）すると、結晶部において、金属原子が三角形状または六角形状に配列しているこ
とを確認できる。しかしながら、異なる結晶部間で、金属原子の配列に規則性は見られな
い。
【００４０】
断面ＴＥＭ観察および平面ＴＥＭ観察より、ＣＡＡＣ−ＯＳ膜の結晶部は配向性を有して
いることがわかる。
【００４１】
ＣＡＡＣ−ＯＳ膜に対し、Ｘ線回折（ＸＲＤ：Ｘ−Ｒａｙ  Ｄｉｆｆｒａｃｔｉｏｎ）装
置を用いて構造解析を行うと、例えばＩｎＧａＺｎＯ４の結晶を有するＣＡＡＣ−ＯＳ膜
のｏｕｔ−ｏｆ−ｐｌａｎｅ法による解析では、回折角（２θ）が３１°近傍にピークが
現れる場合がある。このピークは、ＩｎＧａＺｎＯ４の結晶の（００９）面に帰属される
ことから、ＣＡＡＣ−ＯＳ膜の結晶がｃ軸配向性を有し、ｃ軸が被形成面または上面に概
略垂直な方向を向いていることが確認できる。
【００４２】
一方、ＣＡＡＣ−ＯＳ膜に対し、ｃ軸に概略垂直な方向からＸ線を入射させるｉｎ−ｐｌ
ａｎｅ法による解析では、２θが５６°近傍にピークが現れる場合がある。このピークは
、ＩｎＧａＺｎＯ４の結晶の（１１０）面に帰属される。ＩｎＧａＺｎＯ４の単結晶酸化
物半導体膜であれば、２θを５６°近傍に固定し、試料面の法線ベクトルを軸（φ軸）と
して試料を回転させながら分析（φスキャン）を行うと、（１１０）面と等価な結晶面に
帰属されるピークが６本観察される。これに対し、ＣＡＡＣ−ＯＳ膜の場合は、２θを５
６°近傍に固定してφスキャンした場合でも、明瞭なピークが現れない。
【００４３】
以上のことから、ＣＡＡＣ−ＯＳ膜では、異なる結晶部間ではａ軸およびｂ軸の配向は不
規則であるが、ｃ軸配向性を有し、かつｃ軸が被形成面または上面の法線ベクトルに平行
な方向を向いていることがわかる。従って、前述の断面ＴＥＭ観察で確認された層状に配
列した金属原子の各層は、結晶のａｂ面に平行な面である。
【００４４】
なお、結晶部は、ＣＡＡＣ−ＯＳ膜を成膜した際、または加熱処理などの結晶化処理を行
った際に形成される。上述したように、結晶のｃ軸は、ＣＡＡＣ−ＯＳ膜の被形成面また
は上面の法線ベクトルに平行な方向に配向する。従って、例えば、ＣＡＡＣ−ＯＳ膜の形
状をエッチングなどによって変化させた場合、結晶のｃ軸がＣＡＡＣ−ＯＳ膜の被形成面
または上面の法線ベクトルと平行にならないこともある。
【００４５】
また、ＣＡＡＣ−ＯＳ膜中の結晶化度が均一でなくてもよい。例えば、ＣＡＡＣ−ＯＳ膜
の結晶部が、ＣＡＡＣ−ＯＳ膜の上面近傍からの結晶成長によって形成される場合、上面
近傍の領域は、被形成面近傍の領域よりも結晶化度が高くなることがある。また、ＣＡＡ
Ｃ−ＯＳ膜に不純物を添加する場合、不純物が添加された領域の結晶化度が変化し、部分
的に結晶化度の異なる領域が形成されることもある。
【００４６】
なお、ＩｎＧａＺｎＯ４の結晶を有するＣＡＡＣ−ＯＳ膜のｏｕｔ−ｏｆ−ｐｌａｎｅ法
による解析では、２θが３１°近傍のピークの他に、２θが３６°近傍にもピークが現れ
る場合がある。２θが３６°近傍のピークは、ＣＡＡＣ−ＯＳ膜中の一部に、ｃ軸配向性
を有さない結晶が含まれることを示している。ＣＡＡＣ−ＯＳ膜は、２θが３１°近傍に
ピークを示し、２θが３６°近傍にピークを示さないことが好ましい。
【００４７】
ＣＡＡＣ−ＯＳ膜を用いたトランジスタは、可視光や紫外光の照射による電気特性の変動
が小さい。よって、当該トランジスタは、信頼性が高い。
【００４８】
なお、酸化物半導体膜は、例えば、非晶質酸化物半導体膜、微結晶酸化物半導体膜、ＣＡ
ＡＣ−ＯＳ膜のうち、二種以上を有する積層膜であってもよい。
【００４９】
以上が、酸化物半導体膜の構造に関する説明である。
【００５０】
さらに、本実施の形態に係るパルス出力回路の構成例について図２を参照して説明する。
【００５１】
図２（Ａ）に示すパルス出力回路は、セット信号Ｓに相当するセット信号ＬＩＮ、リセッ
ト信号Ｒに相当するリセット信号ＲＩＮ、クロック信号ＣＫ１乃至クロック信号ＣＫ３、
及び初期化信号ＲＥＳに従いパルス信号（出力信号ＯＵＴ）を生成して出力する機能を有
する。なお、必ずしも初期化信号ＲＥＳを用いなくてもよい。
【００５２】
図２（Ａ）に示すパルス出力回路は、トランジスタ６１乃至７６を有する。
【００５３】
トランジスタ６１のソース及びドレインの一方には、電位ＶＤＤが与えられる。さらに、
トランジスタ６１のゲートには、セット信号ＬＩＮが入力される。
【００５４】
トランジスタ６２のソース及びドレインの一方には、電位ＶＳＳが与えられ、他方は、ト
ランジスタ６１のソース及びドレインの他方に電気的に接続される。
【００５５】
トランジスタ６３のソース及びドレインの一方は、トランジスタ６１のソース及びドレイ
ンの他方に電気的に接続される。さらに、トランジスタ６３のゲートには、セット信号Ｌ
ＩＮが入力される。トランジスタ６３は、図１（Ｂ）に示すトランジスタ１５に相当する
。
【００５６】
トランジスタ６４のソース及びドレインの一方は、トランジスタ６１のソース及びドレイ
ンの他方に電気的に接続される。さらに、トランジスタ６４のゲートには、電位ＶＤＤが
与えられる。
【００５７】
なお、必ずしもトランジスタ６４を設けなくてもよい。
【００５８】
トランジスタ６５のソース及びドレインの一方には、クロック信号ＣＫ１が入力される。
さらに、トランジスタ６５のゲートは、トランジスタ６３のソース及びドレインの他方に
電気的に接続される。トランジスタ６５は、図１（Ｂ）に示すトランジスタ１１に相当す
る。
【００５９】
トランジスタ６６のソース及びドレインの一方は、トランジスタ６５のソース及びドレイ
ンの他方に電気的に接続され、他方の電位がパルス信号（出力信号ＯＵＴ）の電位となる
。トランジスタ６６は、図１（Ｂ）に示すトランジスタ１２に相当する。
【００６０】
さらに、トランジスタ６５のゲートとトランジスタ６６のソース及びドレインの他方の間
に容量Ｃ１が形成される。なお、必ずしも容量Ｃ１を形成しなくてもよい。
【００６１】
また、トランジスタ６６のゲートとトランジスタ６６のソース及びドレインの他方の間に
容量Ｃ２が形成される。なお、トランジスタ６６のゲートと、ソース及びドレインの他方
との間の寄生容量を容量Ｃ２に用いてもよい。なお、必ずしも容量Ｃ２を形成しなくても
よい。
【００６２】
トランジスタ６７のソース及びドレインの一方には、電位ＶＳＳが与えられ、他方は、ト
ランジスタ６６のソース及びドレインの他方に電気的に接続される。トランジスタ６７は
、図１（Ｂ）に示すトランジスタ１３に相当する。
【００６３】
トランジスタ６８のソース及びドレインの一方には、クロック信号ＣＫ１が入力される。
さらに、トランジスタ６８のゲートは、トランジスタ６３のソース及びドレインの他方に
電気的に接続される。
【００６４】
トランジスタ６９のソース及びドレインの一方は、トランジスタ６８のソース及びドレイ
ンの他方に電気的に接続され、他方の電位がパルス信号（出力信号ＳＲＯＵＴ）の電位と
なる。さらに、トランジスタ６９のゲートは、トランジスタ６４のソース及びドレインの
他方に電気的に接続される。
【００６５】
さらに、トランジスタ６８のゲートとトランジスタ６９のソース及びドレインの他方の間
に容量Ｃ３が形成される。なお、必ずしも容量Ｃ３を形成しなくてもよい。
【００６６】
また、トランジスタ６９のゲートとトランジスタ６９のソース及びドレインの他方の間に
容量Ｃ４が形成される。なお、トランジスタ６９のゲートと、ソース及びドレインの他方
との間の寄生容量を容量Ｃ４に用いてもよい。なお、必ずしも容量Ｃ４を形成しなくても
よい。
【００６７】
トランジスタ７０のソース及びドレインの一方には、電位ＶＳＳが与えられ、他方は、ト
ランジスタ６９のソース及びドレインの他方に電気的に接続される。さらに、トランジス
タ７０のゲートは、トランジスタ６２のゲートに電気的に接続される。
【００６８】
なお、必ずしもトランジスタ６８乃至トランジスタ７０を設けなくてもよい。
【００６９】
トランジスタ７１のソース及びドレインの一方には、電位Ｖａが与えられ、他方は、トラ
ンジスタ６５のゲート及びトランジスタ６８のゲートに電気的に接続される。さらに、ト
ランジスタ７１のゲートの電位は、セット信号ＬＩＮ、リセット信号ＲＩＮ、初期化信号
ＲＥＳ、クロック信号ＣＫ２、及びクロック信号ＣＫ３に従い変化する。トランジスタ７
１は、図１（Ｂ）に示すトランジスタ１４に相当する。
【００７０】
トランジスタ７２のソース及びドレインの一方には、電位ＶＤＤが与えられ、他方は、ト
ランジスタ６７のゲート及びトランジスタ７０のゲートに電気的に接続される。さらに、
トランジスタ７２のゲートには、リセット信号ＲＩＮが入力される。
【００７１】
トランジスタ７３のソース及びドレインの一方には、電位ＶＤＤが与えられ、他方は、ト
ランジスタ６７のゲート及びトランジスタ７０のゲートに電気的に接続される。さらに、
トランジスタ７２のゲートには、初期化信号ＲＥＳが入力される。
【００７２】
トランジスタ７４のソース及びドレインの一方には、電位ＶＳＳが与えられ、他方は、ト
ランジスタ６７のゲート及びトランジスタ７０のゲートに電気的に接続される。さらに、
トランジスタ７４のゲートには、セット信号ＬＩＮが入力される。
【００７３】
トランジスタ７５のソース及びドレインの一方には、電位ＶＤＤが与えられる。さらに、
トランジスタ７５のゲートには、クロック信号ＣＫ３が入力される。
【００７４】
トランジスタ７６のソース及びドレインの一方は、トランジスタ７５のソース及びドレイ
ンの他方に電気的に接続され、他方は、トランジスタ６７のゲート及びトランジスタ７０
のゲートに電気的に接続される。さらに、トランジスタ７６のゲートには、クロック信号
ＣＫ２が入力される。
【００７５】
容量Ｃ５の一対の電極の一方には、電位ＶＳＳが与えられ、他方は、トランジスタ７１の
ゲートに電気的に接続される。容量Ｃ５は、保持容量としての機能を有する。なお、必ず
しも容量Ｃ５を設けなくてもよい。
【００７６】
トランジスタ６１乃至トランジスタ７６としては、例えばチャネル形成領域に上記酸化物
半導体を含むトランジスタを適用できる。
【００７７】
次に、本実施の形態に係るパルス出力回路の駆動方法例として、図２（Ａ）に示すパルス
出力回路の駆動方法例について、図２（Ｂ）のタイミングチャートを参照して説明する。
ここでは、一例として、トランジスタ６１乃至トランジスタ７６のそれぞれがＮチャネル
型であり、電位ＶＤＤが正の電位であり、電位ＶＳＳが負の電位であり、電位Ｖａの値が
（ＶＤＤ＋ＶＳＳ）／２であるとして説明する。また、セット信号ＬＩＮ、リセット信号
ＲＩＮ、及びクロック信号ＣＫ１乃至クロック信号ＣＫ３のハイレベルの電位は、電位Ｖ
ＤＤと同じであり、ローレベルの電位は、電位ＶＳＳと同じであるとする。また、トラン
ジスタ６５のしきい値電圧とトランジスタ６８のしきい値電圧は同じとする。また、トラ
ンジスタ６６のしきい値電圧とトランジスタ６９のしきい値電圧は同じとする。また、電
位Ｖａとクロック信号ＣＫ１のローレベルの電位の電位差は、トランジスタ６５のしきい
値電圧よりも大きいとする。また、期間Ｔ１の前に、初期化信号ＲＥＳのパルスを入力し
、トランジスタ７３をオン状態にし、トランジスタ６７、トランジスタ７０、トランジス
タ７１をオン状態にすることにより、パルス出力回路の初期化を行ってもよい。また、ト
ランジスタ６６のゲートと他の素子との接続箇所をノードＮＡとし、トランジスタ６７の
ゲートと他の素子との接続箇所をノードＮＢとし、トランジスタ６５のゲートと他の素子
との接続箇所をノードＮＣとし、トランジスタ６５のソース及びドレインの他方とトラン
ジスタ６６のソース及びドレインの一方との接続箇所をノードＮＤとする。
【００７８】
なお本明細書において、電位ＶＳＳとは、回路を動作させるために必要な、少なくとも２
つの電源電位のうち、低い方の電位である。前記２つの電源電位のうち、高い方の電位は
電位ＶＤＤである。
【００７９】
図２（Ａ）に示すパルス出力回路の駆動方法例では、図２（Ｂ）の期間Ｔ１において、セ
ット信号ＬＩＮがハイレベルになり、トランジスタ７２、トランジスタ７４がオン状態に
なる。また、リセット信号ＲＩＮがローレベルであるため、トランジスタ７２がオフ状態
になる。また、クロック信号ＣＫ１乃至クロック信号ＣＫ３がローレベルであるため、ト
ランジスタ７５及びトランジスタ７６がオフ状態になる。
【００８０】
このとき、ノードＮＣの電位が電位ＶＤＤと同等の値まで上昇し、トランジスタ６５、ト
ランジスタ６８がオン状態になり、ノードＮＤの電位がクロック信号ＣＫ１のローレベル
の電位に応じた値になる。さらに、トランジスタ６３がオフ状態になる。さらに、ノード
ＮＡの電位が電位ＶＤＤと同等の値まで上昇し、トランジスタ６６、トランジスタ６９が
オン状態になる。さらに、トランジスタ６４がオフ状態になる。このときの出力信号ＯＵ
Ｔ、出力信号ＳＲＯＵＴは、ローレベルである。以上により、図２（Ａ）に示すパルス出
力回路は、セット状態になる。
【００８１】
次に、期間Ｔ２において、セット信号ＬＩＮがハイレベルのままであるため、トランジス
タ６１及びトランジスタ７４はオン状態のままである。また、クロック信号ＣＫ１がハイ
レベルになる。また、リセット信号ＲＩＮ、クロック信号ＣＫ２、クロック信号ＣＫ３が
ローレベルのままであるため、トランジスタ７２、トランジスタ７５、トランジスタ７６
がオフ状態のままである。
【００８２】
このとき、トランジスタ６２、トランジスタ６７、トランジスタ７０、トランジスタ７１
はオフ状態のままである。さらに、トランジスタ６５とトランジスタ６６はオン状態のま
まであり、容量Ｃ１と、容量Ｃ２によって生じる容量結合により、ノードＮＡとノードＮ
Ｃの電位が電位ＶＤＤとトランジスタ６５のしきい値電圧（Ｖｔｈ６５）の和よりもさら
に高い値、すなわち、ＶＤＤ＋Ｖｔｈ６５＋Ｖｘ（Ｖｘは任意の値）まで上昇する。これ
により、出力信号ＯＵＴの電位は、クロック信号ＣＫ１のハイレベルの電位と同等の値に
なる。また、トランジスタ６８とトランジスタ６９はオン状態のままであり、出力信号Ｓ
ＲＯＵＴの電位は、クロック信号ＣＫ１のハイレベルの電位と同等の値になる。
【００８３】
次に、期間Ｔ３において、セット信号ＬＩＮがローレベルになり、トランジスタ６１、ト
ランジスタ７２、及びトランジスタ７４がオフ状態になる。また、クロック信号ＣＫ１が
ハイレベルのままである。また、クロック信号ＣＫ２がハイレベルになり、トランジスタ
７６がオン状態になる。また、リセット信号ＲＩＮ、クロック信号ＣＫ３はローレベルの
ままであるため、トランジスタ７２及びトランジスタ７５はオフ状態のままである。
【００８４】
このとき、トランジスタ６２、トランジスタ６７、トランジスタ７０、トランジスタ７１
は、オフ状態のままである。また、トランジスタ６６、トランジスタ６９のゲートとドレ
インの間の電圧がＶＤＤ＋Ｖｘに維持され、出力信号ＯＵＴ、出力信号ＳＲＯＵＴの電位
は、クロック信号ＣＫ１のハイレベルの電位と同等の値のままである。よって、出力信号
ＯＵＴ、出力信号ＳＲＯＵＴは、ハイレベルを維持する。
【００８５】
次に、期間Ｔ４において、リセット信号ＲＩＮがハイレベルになり、トランジスタ７２が
オン状態になる。また、クロック信号ＣＫ１がローレベルになる。また、クロック信号Ｃ
Ｋ２がハイレベルのままであるため、トランジスタ７６はハイレベルのままである。また
、クロック信号ＣＫ３がハイレベルになり、トランジスタ７５がオン状態になる。また、
セット信号ＬＩＮがローレベルのままであるため、トランジスタ６１、トランジスタ６３
、トランジスタ７４はオフ状態のままである。
【００８６】
このとき、ノードＮＢの電位が電位ＶＤＤと同等の値になり、トランジスタ６２、トラン
ジスタ６７、トランジスタ７０、トランジスタ７１がオン状態になる。また、ノードＮＣ
の電位が電位Ｖａに応じた値になり、トランジスタ６５、トランジスタ６８はオン状態の
ままである。また、ノードＮＡの電位が、電位ＶＳＳに応じた値になることにより、トラ
ンジスタ６６、トランジスタ６９がオフ状態になる。よって、ノードＮＤの電位がクロッ
ク信号ＣＫ１のローレベルの電位に応じた値になる。よって、出力信号ＯＵＴ、出力信号
ＳＲＯＵＴの電位がクロック信号ＣＫ１のローレベルの電位に応じた値になり、出力信号
ＯＵＴ、出力信号ＳＲＯＵＴがローレベルになる。これにより、図２（Ａ）に示すパルス
出力回路は、リセット状態になる。
【００８７】
次に、期間Ｔ５において、リセット信号ＲＩＮがハイレベルのままであるため、トランジ
スタ７２はオン状態のままである。また、クロック信号ＣＫ２がローレベルになり、トラ
ンジスタ７６がオフ状態になる。また、クロック信号ＣＫ３がハイレベルのままであるた
め、トランジスタ７５はオン状態のままである。さらに、セット信号ＬＩＮ、クロック信
号ＣＫ１がローレベルのままであるため、トランジスタ６１、トランジスタ６３、トラン
ジスタ７４はオフ状態のままである。
【００８８】
このとき、ノードＮＢの電位は電位ＶＤＤに応じた値のままであり、トランジスタ６２、
トランジスタ６７、トランジスタ７０、トランジスタ７１はオン状態のままである。また
、ノードＮＣの電位が電位Ｖａと同等の値のままであり、トランジスタ６５、トランジス
タ６８はオン状態のままである。また、ノードＮＡの電位が電位ＶＳＳと同等の値のまま
であるため、トランジスタ６６、トランジスタ６９はオフ状態のままである。よって、ノ
ードＮＤの電位がクロック信号ＣＫ１のローレベルの電位と同等の値になる。よって、出
力信号ＯＵＴ、出力信号ＳＲＯＵＴの電位は、クロック信号ＣＫ１のローレベルの電位と
同等の値になり、出力信号ＯＵＴ、出力信号ＳＲＯＵＴはローレベルになる。
【００８９】
次に、期間Ｔ６において、リセット信号ＲＩＮがローレベルになり、トランジスタ７２が
オフ状態になる。また、クロック信号ＣＫ１がハイレベルになる。また、クロック信号Ｃ
Ｋ３がローレベルになり、トランジスタ７５がオフ状態になる。さらに、セット信号ＬＩ
Ｎ、クロック信号ＣＫ２がローレベルのままであるため、トランジスタ６１、トランジス
タ６３、トランジスタ７４はオフ状態のままである。
【００９０】
このとき、ノードＮＢの電位が電位ＶＤＤと同等の値のままであるため、トランジスタ６
２、トランジスタ６７、トランジスタ７０、トランジスタ７１はオン状態のままである。
また、ノードＮＣの電位が電位Ｖａと同等の値のままであるため、トランジスタ６５、ト
ランジスタ６８はオン状態のままである。また、ノードＮＡの電位が電位ＶＳＳと同等の
値のままであるため、トランジスタ６６、トランジスタ６９はオフ状態のままである。ま
た、トランジスタ６５のゲートの電位は、電位ＶＤＤよりも低い電位Ｖａであるため、ノ
ードＮＤの電位がＶａ−Ｖｔｈ６５になる。これは、クロック信号ＣＫ１のローレベルの
電位よりも高く、ハイレベルの電位よりも低い値である。また、出力信号ＯＵＴ、出力信
号ＳＲＯＵＴの電位は、クロック信号ＣＫ１のローレベルと同等の値になる。期間Ｔ４乃
至期間Ｔ６に示すように、出力信号ＯＵＴ、出力信号ＳＲＯＵＴがローレベルのとき、ノ
ードＮＤの電位は、電位ＶＳＳと、クロック信号ＣＫ１のローレベルの電位よりも高く、
ハイレベルの電位よりも低いＶａ−Ｖｔｈ６５と、に交互に変化する。よって、トランジ
スタ６６のドレインの電位が電位ＶＤＤと電位ＶＳＳとに交互に変化する場合と比較して
、トランジスタに対するストレスを抑制できる。
【００９１】
以上が図２（Ａ）に示すパルス出力回路の説明である。
【００９２】
なお、本実施の形態に係るパルス出力回路の構成は、上記構成に限定されず、他の構成に
することもできる。
【００９３】
例えば、図３（Ａ）に示すパルス出力回路は、図２（Ｂ）に示すパルス出力回路のトラン
ジスタ６２のゲートをトランジスタ７２のソース及びドレインの他方に電気的に接続する
代わりに、トランジスタ６２のゲートにリセット信号ＲＩＮを入力する構成である。これ
により、パルス出力回路をリセット状態にする際に、ノードＮＡの電位を電位ＶＳＳと同
等の値に設定する速度を速くできる。
【００９４】
また、図３（Ｂ）に示すように、図２（Ｂ）に示すパルス出力回路のトランジスタ６４、
トランジスタ６８、トランジスタ６９、トランジスタ７０、トランジスタ７３、トランジ
スタ７５、トランジスタ７６を必ずしも設けなくてもよい。
【００９５】
また、図４に示すように、トランジスタ６２乃至トランジスタ７６のそれぞれにバックゲ
ートを設け、バックゲートの電位を制御することによりトランジスタ６２乃至トランジス
タ７６のしきい値電圧を制御してもよい。例えば、Ｎチャネル型トランジスタのバックゲ
ートに負電位を与えると、Ｎチャネル型トランジスタのしきい値電圧を正方向にシフトさ
せることができる。図４に示すパルス出力回路において、トランジスタ６１、トランジス
タ６４、トランジスタ７２、トランジスタ７３、トランジスタ７５、及びトランジスタ７
６のバックゲートのそれぞれには、電位ＢＧ１が与えられ、トランジスタ６２、トランジ
スタ６３、トランジスタ６５乃至トランジスタ７１、及びトランジスタ７４のバックゲー
トのそれぞれには、電位ＢＧ２が与えられる。なお、電位ＢＧ１及び電位ＢＧ２として負
電位を用いる場合、電位ＢＧ２の値は、電位ＢＧ１よりも低いことが好ましい。電位ＢＧ
１が供給されるトランジスタのしきい値電圧が高すぎると、パルス出力回路の動作不良が
起こりやすいためである。
【００９６】
なお、図３（Ａ）又は図３（Ｂ）に示す構成においても同様に、トランジスタにバックゲ
ートを設けてもよい。
【００９７】
さらに、図２（Ａ）に示すパルス出力回路を複数段備えるシフトレジスタの例について図
５を参照して説明する。
【００９８】
図５（Ａ）に示すシフトレジスタ３０は、複数段のパルス出力回路（パルス出力回路３１
＿１乃至パルス出力回路３１＿Ｎ（Ｎは２以上の自然数）を有する。図５（Ａ）では、一
例としてＮ＝４以上の場合について示す。
【００９９】
パルス出力回路３１＿１乃至パルス出力回路３１＿Ｎのそれぞれは、図２（Ａ）に示すパ
ルス出力回路に相当する。パルス出力回路３１＿１乃至パルス出力回路３１＿Ｎは、図５
（Ｂ）に示すように、セット信号ＬＩＮ、リセット信号ＲＩＮ、初期化信号ＲＥＳ、クロ
ック信号ＣＫ１、クロック信号ＣＫ２、及びクロック信号ＣＫ３に従い、出力信号ＯＵＴ
、出力信号ＳＲＯＵＴとして複数のパルス信号を生成して出力する機能を有する。
【０１００】
パルス出力回路３１＿１には、セット信号ＬＩＮとしてスタートパルス信号ＳＰが入力さ
れる。さらに、パルス出力回路３１＿Ｋ（Ｋは２以上Ｎ以下の自然数）には、セット信号
ＬＩＮとしてパルス出力回路３１＿Ｋ−１から出力されるパルス信号（出力信号ＳＲＯＵ
Ｔ）が入力される。
【０１０１】
パルス出力回路３１＿Ｍ（ＭはＮ−１以下の自然数）には、リセット信号ＲＩＮとしてパ
ルス出力回路３１＿Ｍ＋２から出力されるパルス信号（出力信号ＳＲＯＵＴ）が入力され
る。
【０１０２】
さらに、パルス出力回路３１＿１には、クロック信号ＣＫ１としてクロック信号ＣＬＫ１
が入力され、クロック信号ＣＫ２としてクロック信号ＣＬＫ２が入力され、クロック信号
ＣＫ３としてクロック信号ＣＬＫ３が入力される。さらに、パルス出力回路３１＿１を基
準として、３つ置きのパルス出力回路毎にクロック信号ＣＫ１としてクロック信号ＣＬＫ
１が入力され、クロック信号ＣＫ２としてクロック信号ＣＬＫ２が入力され、クロック信
号ＣＫ３としてクロック信号ＣＬＫ３が入力される。
【０１０３】
さらに、パルス出力回路３１＿２には、クロック信号ＣＫ１としてクロック信号ＣＬＫ２
が入力され、クロック信号ＣＫ２としてクロック信号ＣＬＫ３が入力され、クロック信号
ＣＫ３としてクロック信号ＣＬＫ４が入力される。さらに、パルス出力回路３１＿２を基
準として、３つ置きのパルス出力回路毎にクロック信号ＣＫ１としてクロック信号ＣＬＫ
２が入力され、クロック信号ＣＫ２としてクロック信号ＣＬＫ３が入力され、クロック信
号ＣＫ３としてクロック信号ＣＬＫ４が入力される。
【０１０４】
さらに、パルス出力回路３１＿３には、クロック信号ＣＫ１としてクロック信号ＣＬＫ３
が入力され、クロック信号ＣＫ２としてクロック信号ＣＬＫ４が入力され、クロック信号
ＣＫ３としてクロック信号ＣＬＫ１が入力される。さらに、パルス出力回路３１＿３を基
準として、３つ置きのパルス出力回路毎にクロック信号ＣＫ１としてクロック信号ＣＬＫ
３が入力され、クロック信号ＣＫ２としてクロック信号ＣＬＫ４が入力され、クロック信
号ＣＫ３としてクロック信号ＣＬＫ１が入力される。
【０１０５】
パルス出力回路３１＿４には、クロック信号ＣＫ１としてクロック信号ＣＬＫ４が入力さ
れ、クロック信号ＣＫ２としてクロック信号ＣＬＫ１が入力され、クロック信号ＣＫ３と
してクロック信号ＣＬＫ２が入力される。さらに、パルス出力回路３１＿４を基準として
、３つ置きのパルス出力回路毎にクロック信号ＣＫ１としてクロック信号ＣＬＫ４が入力
され、クロック信号ＣＫ２としてクロック信号ＣＬＫ１が入力され、クロック信号ＣＫ３
としてクロック信号ＣＬＫ２が入力される。なお、図５（Ａ）では、一例として、パルス
出力回路３１＿Ｎ＋２に入力されるにクロック信号ＣＫ１、クロック信号ＣＫ２、及びク
ロック信号ＣＫ３が、パルス出力回路３１＿４に入力されるクロック信号ＣＫ１、クロッ
ク信号ＣＫ２、及びクロック信号ＣＫ３と同じであるとする。
【０１０６】
さらに、パルス出力回路３１＿Ｎ＋１及びパルス出力回路３１＿Ｎ＋２のそれぞれの構成
は、図２（Ａ）に示すパルス出力回路の構成のうち、トランジスタ７２が無い構成である
。パルス出力回路３１＿Ｎ＋１から出力されるパルス信号（出力信号ＳＲＯＵＴ＿Ｎ＋１
）は、リセット信号ＲＩＮとしてパルス出力回路３１＿Ｎ−１に入力される。また、パル
ス出力回路３１＿Ｎ＋２から出力されるパルス信号（出力信号ＳＲＯＵＴ＿Ｎ＋２）は、
リセット信号ＲＩＮとしてパルス出力回路３１＿Ｎに入力される。なお、パルス出力回路
３１＿Ｎ＋１、パルス出力回路３１＿Ｎ＋２を設けずに、別途生成したパルス信号をパル
ス出力回路３１＿Ｎ−１、パルス出力回路３１＿Ｎに入力してもよい。また、必ずしも出
力信号ＯＵＴ＿Ｎ＋１及び出力信号ＯＵＴ＿Ｎ＋２を出力しなくてもよい。
【０１０７】
さらに、パルス出力回路３１＿１乃至パルス出力回路３１＿Ｎ＋２のそれぞれには、初期
化信号ＲＥＳとして、初期化信号ＩＮＩ＿ＲＥＳが入力される。
【０１０８】
次に、図５（Ａ）に示すシフトレジスタ３０の駆動方法例について、図５（Ｃ）のタイミ
ングチャートを参照して説明する。ここでは、一例として、電位ＶＤＤが正の電位であり
、電位ＶＳＳが負の電位であり、電位Ｖａが（ＶＤＤ＋ＶＳＳ）／２であるとして説明す
る。また、一例として、セット信号ＬＩＮ、リセット信号ＲＩＮ、及びクロック信号ＣＬ
Ｋ１乃至クロック信号ＣＬＫ４のハイレベルの電位は、電位ＶＤＤと同じであり、ローレ
ベルの電位は、電位ＶＳＳと同じであるとする。また、一例として、クロック信号ＣＬＫ
１乃至クロック信号ＣＬＫ４のデューティ比が５０％であるとする。また、一例として、
クロック信号ＣＬＫ２がクロック信号ＣＬＫ１よりも１／４周期分遅れているとし、クロ
ック信号ＣＬＫ３がクロック信号ＣＬＫ２よりも１／４周期分遅れているとし、クロック
信号ＣＬＫ４がクロック信号ＣＬＫ３よりも１／４周期分遅れているとする。また、一例
として、スタートパルス信号ＳＰのパルスの幅がクロック信号ＣＬＫ１乃至クロック信号
ＣＬＫ４のパルスの幅と同じであるとする。また、各パルス出力回路がセット状態になる
前に、初期化信号ＩＮＩ＿ＲＥＳのパルスを入力し、パルス出力回路の初期化を行うとす
る。
【０１０９】
図５（Ｃ）に示すように、図５（Ａ）に示すシフトレジスタ３０は、時刻Ｔ１１にスター
トパルス信号ＳＰがハイレベルになることにより、時刻Ｔ１２にクロック信号ＣＬＫ１が
ハイレベルになる。さらに、シフトレジスタ３０は、クロック信号ＣＬＫ１乃至クロック
信号ＣＬＫ４に従い、出力信号ＳＲＯＵＴ＿１乃至出力信号ＳＲＯＵＴ＿Ｎのパルスを順
次出力し、出力信号ＯＵＴ＿１乃至出力信号ＯＵＴ＿Ｎのパルスを順次出力する。
【０１１０】
以上が図５（Ａ）に示すシフトレジスタ３０の駆動方法例の説明である。
【０１１１】
なお、図５（Ａ）に示すシフトレジスタ３０に保護回路を設けてもよい。例えば、図６（
Ａ）に示すシフトレジスタ３０は、図５（Ａ）に示すシフトレジスタにおいて、初期化信
号ＩＮＩ＿ＲＥＳ、クロック信号ＣＬＫ１乃至クロック信号ＣＬＫ４、スタートパルス信
号ＳＰを入力するための配線に保護回路３２が電気的に接続された構成である。
【０１１２】
また、図６（Ｂ）に示すシフトレジスタ３０は、図６（Ａ）に示すシフトレジスタ３０か
ら出力信号ＯＵＴ＿１乃至出力信号ＯＵＴ＿Ｎを出力するための配線に保護回路３３が電
気的に接続された構成である。
【０１１３】
また、図５（Ａ）に示すシフトレジスタ３０に図６（Ａ）に示す保護回路３２と、図６（
Ｂ）に示す保護回路３３を設けてもよい。
【０１１４】
保護回路３２及び保護回路３３は、自身が接続する配線に一定の範囲外の電位が与えられ
たときに、該配線と別の電源線とを導通状態にする回路である。保護回路３２及び保護回
路３３は、例えばダイオードなどを用いて構成される。
【０１１５】
図６に示すように、保護回路を設けることにより、シフトレジスタにおいて、静電気放電
（ＥＳＤともいう）などにより発生する過電圧の電気耐性を高めることができる。
【０１１６】
図１乃至図６を参照して説明したように、本実施の形態に係るパルス出力回路の一例では
、トランジスタ１１を設け、出力するパルス信号がローレベルの期間において、トランジ
スタ１１により、トランジスタ１２のソース及びドレインの一方の電位をクロック信号の
ハイレベルの電位よりも低くする。これにより、トランジスタ１２に与えられるストレス
を抑制できるため、トランジスタの劣化を抑制できる。
【０１１７】
（実施の形態２）
本実施の形態では、実施の形態１に係るパルス出力回路を用いた表示装置の例について図
７乃至図１０を参照して説明する。
【０１１８】
図７（Ａ）に示す表示装置は、画素部２０１と、駆動回路部２０２と、を含む。
【０１１９】
画素部２０１は、Ｘ行（Ｘは２以上の自然数）Ｙ列（Ｙは２以上の自然数）に配置された
複数の画素回路２１１を備え、駆動回路部２０２は、ゲートドライバ２２１、ソースドラ
イバ２２３などの駆動回路を備える。
【０１２０】
ゲートドライバ２２１は、実施の形態１に示すパルス出力回路を複数段有するシフトレジ
スタ（例えば図５（Ａ）に示すシフトレジスタ３０）を備える。例えば、ゲートドライバ
２２１は、シフトレジスタから出力されるパルス信号により、走査線ＧＬ＿１乃至ＧＬ＿
Ｘの電位を制御する機能を有する。なお、ゲートドライバ２２１を複数設け、複数のゲー
トドライバ２２１により、走査線ＧＬ＿１乃至ＧＬ＿Ｘを分割して制御してもよい。
【０１２１】
ソースドライバ２２３には、画像信号が入力される。ソースドライバ２２３は、画像信号
を元に画素回路２１１に書き込むデータ信号を生成する機能を有する。また、ソースドラ
イバ２２３は、データ線ＤＬ＿１乃至ＤＬ＿Ｙの電位を制御する機能を有する。
【０１２２】
ソースドライバ２２３は、例えば複数のアナログスイッチなどを用いて構成される。ソー
スドライバ２２３は、複数のアナログスイッチを順次オン状態にすることにより、画像信
号を時分割した信号をデータ信号として出力できる。また、シフトレジスタなどを用いて
ソースドライバ２２３を構成してもよい。このとき、シフトレジスタとしては、実施の形
態１に示すパルス出力回路を複数段有するシフトレジスタ（例えば図５（Ａ）に示すシフ
トレジスタ３０）を用いることができる。
【０１２３】
複数の画素回路２１１のそれぞれは、複数の走査線ＧＬの一つを介してパルス信号が入力
され、複数のデータ線ＤＬの一つを介してデータ信号が入力される。複数の画素回路２１
１のそれぞれは、ゲートドライバ２２１によりデータ信号のデータの書き込み及び保持が
制御される。例えば、ｍ行ｎ列目の画素回路２１１は、走査線ＧＬ＿ｍ（ｍはＸ以下の自
然数）を介してゲートドライバ２２１からパルス信号が入力され、走査線ＧＬ＿ｍの電位
に応じてデータ線ＤＬ＿ｎ（ｎはＹ以下の自然数）を介してソースドライバ２２３からデ
ータ信号が入力される。
【０１２４】
複数の画素回路２１１のそれぞれは、例えば、図７（Ｂ−１）に示すように、液晶素子２
３０と、トランジスタ２３１＿１と、容量素子２３３＿１と、を備える。
【０１２５】
液晶素子２３０の一対の電極の一方の電位は、画素回路２１１の仕様に応じて適宜設定さ
れる。液晶素子２３０は、書き込まれるデータにより配向状態が設定される。なお、複数
の画素回路２１１のそれぞれが有する液晶素子２３０の一対の電極の一方に共通の電位（
コモン電位）を与えてもよい。また、各行の画素回路２１１毎の液晶素子２３０の一対の
電極の一方に異なる電位を与えてもよい。
【０１２６】
例えば、液晶素子を備える表示装置の表示方式としては、ＴＮ（Ｔｗｉｓｔｅｄ  Ｎｅｍ
ａｔｉｃ）モード、ＩＰＳ（Ｉｎ  Ｐｌａｎｅ  Ｓｗｉｔｃｈｉｎｇ）モード、ＳＴＮ（
Ｓｕｐｅｒ  Ｔｗｉｓｔｅｄ  Ｎｅｍａｔｉｃ）モード、ＶＡ（Ｖｅｒｔｉｃａｌ  Ａｌ
ｉｇｎｍｅｎｔ）モード、ＡＳＭ（Ａｘｉａｌｌｙ  Ｓｙｍｍｅｔｒｉｃ  Ａｌｉｇｎｅ
ｄ  Ｍｉｃｒｏ−ｃｅｌｌ）モード、ＯＣＢ（Ｏｐｔｉｃａｌｌｙ  Ｃｏｍｐｅｎｓａｔ
ｅｄ  Ｂｉｒｅｆｒｉｎｇｅｎｃｅ）モード、ＦＬＣ（Ｆｅｒｒｏｅｌｅｃｔｒｉｃ  Ｌ
ｉｑｕｉｄ  Ｃｒｙｓｔａｌ）モード、ＡＦＬＣ（ＡｎｔｉＦｅｒｒｏｅｌｅｃｔｒｉｃ
Ｌｉｑｕｉｄ  Ｃｒｙｓｔａｌ）モード、ＭＶＡ（Ｍｕｌｔｉ−Ｄｏｍａｉｎ  Ｖｅｒ
ｔｉｃａｌ  Ａｌｉｇｎｍｅｎｔ）モード、ＰＶＡ（Ｐａｔｔｅｒｎｅｄ  Ｖｅｒｔｉｃ
ａｌ  Ａｌｉｇｎｍｅｎｔ）モード、ＦＦＳ（Ｆｒｉｎｇｅ  Ｆｉｅｌｄ  Ｓｗｉｔｃｈ
ｉｎｇ）モード、又はＴＢＡ（Ｔｒａｎｓｖｅｒｓｅ  Ｂｅｎｄ  Ａｌｉｇｎｍｅｎｔ）
モードなどを用いてもよい。
【０１２７】
また、ブルー相を示す液晶とカイラル剤とを含む液晶組成物により液晶素子を構成しても
よい。ブルー相を示す液晶は、応答速度が１ｍｓｅｃ以下と短く、光学的等方性であるた
め、配向処理が不要であり、視野角依存性が小さい。
【０１２８】
ｍ行ｎ列目の画素回路２１１において、トランジスタ２３１＿１のソース及びドレインの
一方は、データ線ＤＬ＿ｎに電気的に接続され、他方は液晶素子２３０の一対の電極の他
方に電気的に接続される。また、トランジスタ２３１＿１のゲートは、走査線ＧＬ＿ｍに
電気的に接続される。トランジスタ２３１＿１は、オン状態又はオフ状態になることによ
り、データ信号のデータの書き込みを制御する機能を有する。
【０１２９】
容量素子２３３＿１の一対の電極の一方は、電位供給線ＶＬに電気的に接続され、他方は
、液晶素子２３０の一対の電極の他方に電気的に接続される。なお、電位供給線ＶＬの電
位の値は、画素回路２１１の仕様に応じて適宜設定される。容量素子２３３＿１は、書き
込まれたデータを保持する保持容量としての機能を有する。
【０１３０】
図７（Ｂ−１）の画素回路２１１を備える表示装置では、ゲートドライバ２２１により各
行の画素回路２１１を順次選択し、トランジスタ２３１＿１をオン状態にしてデータ信号
のデータを書き込む。
【０１３１】
データが書き込まれた画素回路２１１は、トランジスタ２３１＿１がオフ状態になること
で保持状態になる。これを行毎に順次行うことにより、画像を表示できる。
【０１３２】
また、図７（Ｂ−２）に示す画素回路は、トランジスタ２３１＿２と、容量素子２３３＿
２と、トランジスタ２３４と、発光素子（ＥＬともいう）２３５と、を備える。
【０１３３】
トランジスタ２３１＿２のソース及びドレインの一方は、データ線ＤＬ＿ｎに電気的に接
続される。さらに、トランジスタ２３１＿２のゲートは、ゲート信号線ＧＬ＿ｍに電気的
に接続される。
【０１３４】
トランジスタ２３１＿２は、オン状態又はオフ状態になることにより、データ信号のデー
タの書き込みを制御する機能を有する。
【０１３５】
容量素子２３３＿２の一対の電極の一方は、電源線ＶＬ＿ａに電気的に接続され、他方は
、トランジスタ２３１＿２のソース及びドレインの他方に電気的に接続される。
【０１３６】
容量素子２３３＿２は、書き込まれたデータを保持する保持容量としての機能を有する。
【０１３７】
トランジスタ２３４のソース及びドレインの一方は、電源線ＶＬ＿ａに電気的に接続され
る。さらに、トランジスタ２３４のゲートは、トランジスタ２３１＿２のソース及びドレ
インの他方に電気的に接続される。
【０１３８】
発光素子２３５のアノード及びカソードの一方は、電源線ＶＬ＿ｂに電気的に接続され、
他方は、トランジスタ２３４のソース及びドレインの他方に電気的に接続される。
【０１３９】
発光素子２３５としては、例えば有機エレクトロルミネセンス素子などを用いることがで
きる。
【０１４０】
なお、電源線ＶＬ＿ａ及び電源線ＶＬ＿ｂの一方には、電位ＶＤＤが与えられ、他方には
、電位ＶＳＳが与えられる。
【０１４１】
図７（Ｂ−２）の画素回路２１１を備える表示装置では、ゲートドライバ２２１により各
行の画素回路２１１を順次選択し、トランジスタ２３１＿２をオン状態にしてデータ信号
のデータを書き込む。
【０１４２】
データが書き込まれた画素回路２１１は、トランジスタ２３１＿２がオフ状態になること
で保持状態になる。さらに、書き込まれたデータ信号の電位に応じてトランジスタ２３４
のソースとドレインの間に流れる電流量が制御され、発光素子２３５は、流れる電流量に
応じた輝度で発光する。これを行毎に順次行うことにより、画像を表示できる。
【０１４３】
さらに、図７（Ａ）に示す表示装置が、低消費電力モードでの動作が可能な場合の駆動方
法の例について、図８のタイミングチャートを参照して説明する。ここでは、一例として
、ゲートドライバ２２１に実施の形態１に示すシフトレジスタを用いる場合について説明
する。
【０１４４】
図７（Ａ）に示す表示装置の動作は、通常モード及び低消費電力モードに分けられる。
【０１４５】
通常モードのときの動作について説明する。このとき、図８の期間３１１に示すように、
スタートパルス信号ＳＰ、電源電圧ＰＷＲ、及びクロック信号ＣＬＫ１乃至クロック信号
ＣＬＫ４をシフトレジスタに入力すると、シフトレジスタは、スタートパルス信号ＳＰの
パルスに従い、出力信号ＳＲＯＵＴ＿１乃至出力信号ＳＲＯＵＴ＿Ｎのパルスを順次出力
し、出力信号ＯＵＴ＿１乃至出力信号ＯＵＴ＿Ｎのパルスを順次出力する。なお、電源電
圧ＰＷＲとしては、電位ＶＤＤと電位ＶＳＳからなる電源電圧、電位Ｖａと電位ＶＳＳか
らなる電源電圧が挙げられる。
【０１４６】
次に、通常モードから低消費電力モードになるときの動作について説明する。このとき、
図８の期間３１２に示すように、シフトレジスタに対する電源電圧ＰＷＲ、クロック信号
ＣＬＫ１乃至クロック信号ＣＬＫ４、及びスタートパルス信号ＳＰの出力を停止させる。
【０１４７】
このとき、シフトレジスタに対し、まずスタートパルス信号ＳＰの入力を停止させ、次に
クロック信号ＣＬＫ１乃至クロック信号ＣＬＫ４の入力を順次停止させ、次に電源電圧Ｐ
ＷＲの入力を停止させることが好ましい。これにより、シフトレジスタの誤動作を抑制で
きる。
【０１４８】
シフトレジスタに対する電源電圧ＰＷＲ、クロック信号ＣＬＫ１乃至クロック信号ＣＬＫ
４、及びスタートパルス信号ＳＰの入力を停止させると、出力信号ＳＲＯＵＴ＿１乃至出
力信号ＳＲＯＵＴ＿Ｎのパルスの出力が停止し、出力信号ＯＵＴ＿１乃至出力信号ＯＵＴ
＿Ｎのパルスの出力が停止する。よって、表示装置が低消費電力モードになる。
【０１４９】
その後シフトレジスタを通常モードに復帰させる場合には、図８の期間３１３に示すよう
に、シフトレジスタに対するスタートパルス信号ＳＰ、クロック信号ＣＬＫ１乃至クロッ
ク信号ＣＬＫ４、及び電源電圧ＰＷＲの入力を再開させる。
【０１５０】
このとき、シフトレジスタに対し、まず電源電圧ＰＷＲの入力を再開させ、次にクロック
信号ＣＬＫ１乃至クロック信号ＣＬＫ４の入力を再開させ、次にスタートパルス信号ＳＰ
の入力を再開させる。さらにこのとき、クロック信号ＣＬＫ１乃至クロック信号ＣＬＫ４
が入力される配線の電位を電位ＶＤＤに設定した後にクロック信号ＣＬＫ１乃至クロック
信号ＣＬＫ４の入力を順次再開させることが好ましい。
【０１５１】
シフトレジスタに対するスタートパルス信号ＳＰ、クロック信号ＣＬＫ１乃至クロック信
号ＣＬＫ４、及び電源電圧ＰＷＲの入力を再開させると、シフトレジスタは、スタートパ
ルス信号ＳＰのパルスに従い、出力信号ＳＲＯＵＴ＿１乃至出力信号ＳＲＯＵＴ＿Ｎのパ
ルスを順次出力し、出力信号ＯＵＴ＿１乃至出力信号ＯＵＴ＿Ｎのパルスを順次出力する
。よって、表示装置は通常モードに復帰する。
【０１５２】
以上が表示装置の例の説明である。
【０１５３】
図８を参照して説明したように、本実施の形態に係る表示装置の一例では、必要に応じて
シフトレジスタを備える駆動回路の動作を停止できる。よって、例えば画素回路のトラン
ジスタにオフ電流の低いトランジスタを用い、画像を表示する際に、一部又は全部の画素
回路でデータ信号の書き換えが不要である場合、駆動回路の動作を停止させ、書き換え間
隔を長くすることにより、消費電力を低減できる。
【０１５４】
なお、図９に示すように、ゲートドライバ２２１と画素回路２１１の間（ゲート信号線Ｇ
Ｌ）に保護回路２２５を接続してもよい。また、ソースドライバ２２３と画素回路２１１
の間（データ信号線ＤＬ）に保護回路２２５を接続してもよい。保護回路２２５は、自身
が接続する配線に一定の範囲外の電位が与えられたときに、該配線と別の電源線とを導通
状態にする回路である。保護回路２２５は、例えばダイオードなどを用いて構成される。
【０１５５】
図９に示すように、保護回路を設けることにより、ＥＳＤなどにより発生する過電圧に対
する表示装置の耐性を高めることができる。
【０１５６】
図１乃至図９を参照して説明したように、本実施の形態に係る表示装置の一例では、実施
の形態１に示すパルス出力回路を用いてゲートドライバ、ソースドライバなどの駆動回路
を構成する。上記駆動回路では、トランジスタに対するストレスが小さいため、表示装置
の信頼性を高めることができる。
【０１５７】
さらに、本実施の形態に係る表示装置の構造例について図１０を参照して説明する。
【０１５８】
図１０（Ａ）に示す表示装置は、縦電界方式の液晶表示装置である。
【０１５９】
導電層７０３ａ及び７０３ｂは、絶縁層７０１を挟んで基板７００の一平面に設けられる
。
【０１６０】
導電層７０３ａは、駆動回路部２０２に設けられる。導電層７０３ａは、駆動回路のトラ
ンジスタのゲートとしての機能を有する。
【０１６１】
導電層７０３ｂは、画素部２０１に設けられる。導電層７０３ｂは、画素回路のトランジ
スタのゲートとしての機能を有する。
【０１６２】
絶縁層７０４は、導電層７０３ａ及び７０３ｂの上に設けられる。絶縁層７０４は、駆動
回路のトランジスタのゲート絶縁層、及び画素回路のトランジスタのゲート絶縁層として
の機能を有する。
【０１６３】
半導体層７０５ａは、絶縁層７０４を挟んで導電層７０３ａに重畳する。半導体層７０５
ａは、駆動回路のトランジスタのチャネルが形成される層（チャネル形成層ともいう）と
しての機能を有する。
【０１６４】
半導体層７０５ｂは、絶縁層７０４を挟んで導電層７０３ｂに重畳する。半導体層７０５
ｂは、画素回路のトランジスタのチャネル形成層としての機能を有する。
【０１６５】
導電層７０６ａは、半導体層７０５ａに電気的に接続される。導電層７０６ａは、駆動回
路のトランジスタが有するソース及びドレインの一方としての機能を有する。
【０１６６】
導電層７０６ｂは、半導体層７０５ａに電気的に接続される。導電層７０６ｂは、駆動回
路のトランジスタが有するソース及びドレインの他方としての機能を有する。
【０１６７】
導電層７０６ｃは、半導体層７０５ｂに電気的に接続される。導電層７０６ｃは、画素回
路のトランジスタが有するソース及びドレインの一方としての機能を有する。
【０１６８】
導電層７０６ｄは、半導体層７０５ｂに電気的に接続される。導電層７０６ｄは、画素回
路のトランジスタが有するソース及びドレインの他方としての機能を有する。
【０１６９】
絶縁層７０７は、半導体層７０５ａ及び半導体層７０５ｂの上、及び導電層７０６ａ乃至
導電層７０６ｄの上に設けられる。絶縁層７０７は、トランジスタを保護する絶縁層（保
護絶縁層ともいう）としての機能を有する。
【０１７０】
絶縁層７０８は、絶縁層７０７の上に設けられる。絶縁層７０８は、平坦化層としての機
能を有する。絶縁層７０８を設けることにより、絶縁層７０８よりも下層の導電層と絶縁
層７０８よりも上層の導電層とによる寄生容量の発生を抑制できる。
【０１７１】
導電層７０９ａ及び導電層７０９ｂ１は、絶縁層７０８の上に設けられる。
【０１７２】
導電層７０９ａは、絶縁層７０７及び絶縁層７０８を挟んで半導体層７０５ａに重畳する
。導電層７０９ａは、駆動回路のトランジスタのゲートとしての機能を有する。例えば、
導電層７０９ａを駆動回路のトランジスタのバックゲートとして機能させてもよい。例え
ば、Ｎチャネル型トランジスタの場合、上記バックゲートに、負電位を与えることにより
、トランジスタのしきい値電圧を正方向にシフトさせることができる。また、上記バック
ゲートを接地させてもよい。
【０１７３】
導電層７０９ｂ１は、画素回路の容量素子が有する一対の電極の一方としての機能を有す
る。
【０１７４】
絶縁層７１０は、絶縁層７０８の表面及び導電層７０９ｂ１の上に設けられる。なお、絶
縁層７１０のうち、駆動回路のトランジスタの上に形成される部分を除去することにより
、絶縁層７０８中の水素や水を外部に放出できるため、絶縁層７０７から絶縁層７０８が
剥がれてしまうことを抑制できる。絶縁層７１０は、保護絶縁層としての機能を有する。
また、絶縁層７１０は、画素回路の容量素子の誘電体層としての機能を有する。
【０１７５】
導電層７１１は、絶縁層７１０の上に設けられ、絶縁層７０７、絶縁層７０８、及び絶縁
層７１０を貫通して設けられた開口部により導電層７０６ｄに電気的に接続される。さら
に、導電層７１１は、絶縁層７１０を挟んで導電層７０９ｂ１に重畳する。導電層７１１
は、画素回路の液晶素子が有する一対の電極の一方、及び容量素子が有する一対の電極の
他方としての機能を有する。
【０１７６】
着色層７２２は、基板７２０の一平面の一部に設けられる。着色層７２２は、カラーフィ
ルタとしての機能を有する。
【０１７７】
絶縁層７２３は、着色層７２２を挟んで基板７２０の一平面に設けられる。絶縁層７２３
は、平坦化層としての機能を有する。
【０１７８】
導電層７２１は、絶縁層７２３の一平面に設けられる。導電層７２１は、画素回路の液晶
素子が有する一対の電極の他方としての機能を有する。なお、導電層７２１の上に別途絶
縁層を設けてもよい。
【０１７９】
液晶層７５０は、シール材７５１を用いて、導電層７１１と導電層７２１の間に設けられ
る。なお、絶縁層７０７及び絶縁層７１０のうち、シール材７５１下に位置する部分を除
去してもよい。
【０１８０】
さらに、図１０（Ｂ）に示す表示装置は、横電界方式（ＦＦＳモード）の表示装置であり
、図１０（Ａ）に示す表示装置と比較した場合、導電層７０３ｃを別途有し、導電層７０
９ｂ１の代わりに導電層７０９ｂ２を有し、導電層７１１の代わりに導電層７１２を有し
、液晶層７５０の代わりに液晶層７６０を有する点が異なる。図１０（Ａ）に示す表示装
置と同じ部分については、図１０（Ａ）に示す表示装置の説明を適宜援用する。
【０１８１】
導電層７０３ｃは、絶縁層７０１の上に設けられる。このとき、導電層７０６ｄは、絶縁
層７０４を挟んで導電層７０３ｃに重畳する。
【０１８２】
導電層７０９ｂ２は、絶縁層７０８の上に設けられる。導電層７０９ｂ２は、画素回路の
液晶素子が有する一対の電極の一方としての機能を有する。さらに、導電層７０９ｂ２は
、画素回路の容量素子が有する一対の電極の一方としての機能を有する。
【０１８３】
導電層７１２は、絶縁層７１０の上に設けられ、絶縁層７０７、絶縁層７０８、及び絶縁
層７１０を貫通して設けられた開口部により導電層７０６ｄに電気的に接続される。また
、導電層７１２は、櫛歯部を有し、櫛歯部の櫛のそれぞれが絶縁層７１０を挟んで導電層
７０９ｂ２に重畳する。導電層７１２は、画素回路の液晶素子が有する一対の電極の他方
としての機能を有する。さらに、導電層７１２は、画素回路の容量素子が有する一対の電
極の他方としての機能を有する。
【０１８４】
液晶層７６０は、シール材７５１により、導電層７１１と導電層７１２の上に設けられる
。
【０１８５】
なお、図１０（Ａ）及び図１０（Ｂ）では、トランジスタをチャネルエッチ型のトランジ
スタとしているが、これに限定されず、例えばチャネルストップ型のトランジスタとして
もよい。また、トップゲート型のトランジスタとしてもよい。
【０１８６】
さらに、図１０（Ａ）及び図１０（Ｂ）に示す表示装置の各構成要素について説明する。
なお、各層を積層構造にしてもよい。
【０１８７】
基板７００及び７２０としては、例えばガラス基板又はプラスチック基板などを適用でき
る。
【０１８８】
絶縁層７０１としては、例えば酸化シリコン、窒化シリコン、酸化窒化シリコン、窒化酸
化シリコン、酸化アルミニウム、窒化アルミニウム、酸化窒化アルミニウム、窒化酸化ア
ルミニウム、又は酸化ハフニウムなどの材料を含む層を適用できる。
【０１８９】
導電層７０３ａ乃至７０３ｃとしては、例えばモリブデン、チタン、クロム、タンタル、
マグネシウム、銀、タングステン、アルミニウム、銅、ネオジム、又はスカンジウムなど
の金属材料を含む層を適用できる。
【０１９０】
絶縁層７０４としては、例えば酸化シリコン、窒化シリコン、酸化窒化シリコン、窒化酸
化シリコン、酸化アルミニウム、窒化アルミニウム、酸化窒化アルミニウム、窒化酸化ア
ルミニウム、又は酸化ハフニウムなどの材料を含む層を適用できる。例えば、絶縁層７０
４としては、窒化シリコン層及び酸化窒化シリコン層の積層を適用できる。このとき、上
記窒化シリコン層を、組成の異なる複数の窒化シリコン層の積層としてもよい。また、絶
縁層７０４として、酸化物層を用いてもよい。上記酸化物層としては、例えばＩｎ：Ｇａ
：Ｚｎ＝１：３：２の原子比である酸化物の層などを用いることができる。
【０１９１】
半導体層７０５ａ及び半導体層７０５ｂとしては、例えば酸化物半導体層を用いることが
できる。
【０１９２】
上記酸化物半導体としては、実施の形態１に示すように、例えばＩｎ系金属酸化物、Ｚｎ
系金属酸化物、Ｉｎ−Ｚｎ系金属酸化物、又はＩｎ−Ｇａ−Ｚｎ系金属酸化物などを適用
できる。また、上記Ｉｎ−Ｇａ−Ｚｎ系金属酸化物に含まれるＧａの一部若しくは全部の
代わりに他の金属元素を含む金属酸化物を用いてもよい。なお、上記酸化物半導体が結晶
を有していてもよい。例えば、上記酸化物半導体が多結晶又は単結晶でもよい。また、上
記酸化物半導体が非晶質でもよい。
【０１９３】
上記他の金属元素としては、例えばガリウムよりも多くの酸素原子と結合が可能な金属元
素を用いればよく、例えばチタン、ジルコニウム、ハフニウム、ゲルマニウム、及び錫の
いずれか一つ又は複数の元素を用いればよい。また、上記他の金属元素としては、ランタ
ン、セリウム、プラセオジム、ネオジム、サマリウム、ユウロピウム、ガドリニウム、テ
ルビウム、ジスプロシウム、ホルミウム、エルビウム、ツリウム、イッテルビウム、及び
ルテチウムのいずれか一つ又は複数の元素を用いればよい。これらの金属元素は、スタビ
ライザーとしての機能を有する。なお、これらの金属元素の添加量は、金属酸化物が半導
体として機能することが可能な量である。酸素原子との結合がガリウムよりも多くできる
金属元素を用い、さらには金属酸化物中に酸素を供給することにより、金属酸化物中の酸
素欠陥を少なくできる。
【０１９４】
さらに、例えばＩｎ：Ｇａ：Ｚｎ＝１：１：１の原子比である第１の酸化物半導体層、Ｉ
ｎ：Ｇａ：Ｚｎ＝３：１：２の原子比である第２の酸化物半導体層、及びＩｎ：Ｇａ：Ｚ
ｎ＝１：１：１の原子比である第３の酸化物半導体層の積層により、半導体層７０５ａ及
び半導体層７０５ｂを構成してもよい。上記積層により半導体層７０５ａ及び半導体層７
０５ｂを構成することにより、例えばトランジスタの電界効果移動度を高めることができ
る。
【０１９５】
上記酸化物半導体を含むトランジスタは、バンドギャップが広いため熱励起によるリーク
電流が少ない。さらに、正孔の有効質量が１０以上と重く、トンネル障壁の高さが２．８
ｅＶ以上と高い。これにより、トンネル電流が少ない。さらに、半導体層中のキャリアが
極めて少ない。よって、オフ電流を低くできる。例えば、オフ電流は、室温（２５℃）で
チャネル幅１μｍあたり１×１０−１９Ａ（１００ｚＡ）以下である。より好ましくは１
×１０−２２Ａ（１００ｙＡ）以下である。トランジスタのオフ電流は、低ければ低いほ
どよいが、トランジスタのオフ電流の下限値は、約１×１０−３０Ａ／μｍであると見積
もられる。なお、上記酸化物半導体層に限定されず、半導体層７０５ａ及び半導体層７０
５ｂとして１４族（シリコンなど）の元素を有する半導体層を用いてもよい。例えば、シ
リコンを含む半導体層としては、単結晶シリコン層、多結晶シリコン層、又は非晶質シリ
コン層などを用いることができる。
【０１９６】
例えば、水素又は水などの不純物を可能な限り除去し、酸素を供給して酸素欠損を可能な
限り減らすことにより、上記酸化物半導体を含むトランジスタを作製できる。このとき、
チャネル形成領域において、ドナー不純物といわれる水素の量を、二次イオン質量分析法
（ＳＩＭＳともいう）の測定値で１×１０１９／ｃｍ３以下、好ましくは１×１０１８／
ｃｍ３以下に低減することが好ましい。
【０１９７】
高純度化させた酸化物半導体層を電界効果トランジスタに用いることにより、酸化物半導
体層のキャリア密度を１×１０１４／ｃｍ３未満、好ましくは１×１０１２／ｃｍ３未満
、さらに好ましくは１×１０１１／ｃｍ３未満にできる。このように、キャリア密度を少
なくすることにより、チャネル幅１μｍあたりの電界効果トランジスタのオフ電流を１×
１０−１９Ａ（１００ｚＡ）以下、より好ましくは１×１０−２２Ａ（１００ｙＡ）以下
にまで抑制できる。電界効果トランジスタのオフ電流は、低ければ低いほどよいが、電界
効果トランジスタのオフ電流の下限値は、約１×１０−３０Ａ／μｍであると見積もられ
る。
【０１９８】
なお、上記酸化物半導体を、ＣＡＡＣ−ＯＳとしてもよい。
【０１９９】
例えば、スパッタリング法を用いてＣＡＡＣ−ＯＳである酸化物半導体層を形成できる。
このとき、多結晶である酸化物半導体スパッタリング用ターゲットを用いてスパッタリン
グを行う。上記スパッタリング用ターゲットにイオンが衝突すると、スパッタリング用タ
ーゲットに含まれる結晶領域がａ−ｂ面から劈開し、ａ−ｂ面に平行な面を有する平板状
又はペレット状のスパッタリング粒子として剥離することがある。このとき、結晶状態を
維持したまま、上記スパッタリング粒子が基板に到達することにより、スパッタリング用
ターゲットの結晶状態が基板に転写される。これにより、ＣＡＡＣ−ＯＳが形成される。
【０２００】
また、ＣＡＡＣ−ＯＳを形成するために、以下の条件を適用することが好ましい。
【０２０１】
例えば、不純物濃度を低減させてＣＡＡＣ−ＯＳを形成することにより、不純物による酸
化物半導体の結晶状態の崩壊を抑制できる。例えば、成膜室内に存在する不純物（水素、
水、二酸化炭素、及び窒素など）を低減することが好ましい。また、成膜ガス中の不純物
を低減することが好ましい。例えば、成膜ガスとして露点が−８０℃以下、好ましくは−
１００℃以下である成膜ガスを用いることが好ましい。
【０２０２】
また、成膜時の基板温度を高くすることが好ましい。上記基板温度を高くすることにより
、平板状のスパッタリング粒子が基板に到達したときに、スパッタリング粒子のマイグレ
ーションが起こり、平らな面を向けてスパッタリング粒子を基板に付着させることができ
る。例えば、基板加熱温度を１００℃以上７４０℃以下、好ましくは２００℃以上５００
℃以下として酸化物半導体膜を成膜することにより酸化物半導体層を形成する。
【０２０３】
また、成膜ガス中の酸素割合を高くし、電力を最適化して成膜時のプラズマダメージを抑
制させることが好ましい。例えば、成膜ガス中の酸素割合を、３０体積％以上、好ましく
は１００体積％にすることが好ましい。
【０２０４】
導電層７０６ａ乃至導電層７０６ｄとしては、例えばモリブデン、チタン、クロム、タン
タル、マグネシウム、銀、タングステン、アルミニウム、銅、ネオジム、スカンジウム、
又はルテニウムなどの金属材料を含む層を適用できる。
【０２０５】
絶縁層７０７としては、例えば酸化シリコン、窒化シリコン、酸化窒化シリコン、窒化酸
化シリコン、酸化アルミニウム、窒化アルミニウム、酸化窒化アルミニウム、窒化酸化ア
ルミニウム、又は酸化ハフニウムなどの材料を含む層を適用できる。
【０２０６】
絶縁層７０８としては、例えば有機絶縁材料又は無機絶縁材料の層などを適用できる。例
えば、アクリル樹脂などを用いて絶縁層７０８を構成してもよい。
【０２０７】
導電層７０９ａ、導電層７０９ｂ１、及び導電層７０９ｂ２としては、例えば導体として
の機能を有し、光を透過する金属酸化物の層などを適用できる。例えば、酸化インジウム
酸化亜鉛又はインジウム錫酸化物などを適用できる。
【０２０８】
絶縁層７１０としては、例えば絶縁層７０４に適用可能な材料を用いることができる。
【０２０９】
導電層７１１、導電層７１２、及び導電層７２１としては、例えば光を透過する金属酸化
物の層などを適用できる。例えば、酸化インジウム酸化亜鉛又はインジウム錫酸化物など
を適用できる。
【０２１０】
着色層７２２は、例えば赤（Ｒ）、緑（Ｇ）、及び青（Ｂ）の一つを呈する光を透過する
機能を有する。着色層７２２としては、染料又は顔料を含む層を用いることができる。
【０２１１】
絶縁層７２３としては、例えば酸化シリコン、窒化シリコン、酸化窒化シリコン、窒化酸
化シリコン、酸化アルミニウム、窒化アルミニウム、酸化窒化アルミニウム、窒化酸化ア
ルミニウム、又は酸化ハフニウムなどの材料を含む層を適用できる。また、絶縁層７２３
に適用可能な材料の層を用いてもよい。
【０２１２】
液晶層７５０としては、例えばＴＮ液晶、ＯＣＢ液晶、ＳＴＮ液晶、ＶＡ液晶、ＥＣＢ型
液晶、ＧＨ液晶、高分子分散型液晶、又はディスコチック液晶などを含む層を用いること
ができる。
【０２１３】
液晶層７６０としては、例えばブルー相を示す液晶を含む層を適用できる。
【０２１４】
ブルー相を示す液晶を含む層は、例えばブルー相を示す液晶、カイラル剤、液晶性モノマ
ー、非液晶性モノマー、及び重合開始剤を含む液晶組成物により構成される。ブルー相を
示す液晶は、応答時間が短く、光学的等方性であるため、配向処理が不要であり、視野角
依存性が小さい。よって、ブルー相を示す液晶を用いることにより、液晶表示装置の動作
を速くできる。
【０２１５】
以上が図１０に示す表示装置の構造例の説明である。
【０２１６】
図１０を参照して説明したように、本実施の形態に係る表示装置の一例では、画素回路と
同一基板上に駆動回路を設ける。これにより、画素回路と駆動回路を接続するための配線
の数を少なくできる。
【０２１７】
（実施の形態３）
本実施の形態では、実施の形態２の表示装置を用いたパネルを備える電子機器の例につい
て、図１１を参照して説明する。
【０２１８】
図１１（Ａ）に示す電子機器は、携帯型情報端末の一例である。
【０２１９】
図１１（Ａ）に示す電子機器は、筐体１０１１と、筐体１０１１に設けられたパネル１０
１２と、ボタン１０１３と、スピーカー１０１４と、を具備する。
【０２２０】
なお、筐体１０１１に、外部機器に接続するための接続端子及び操作ボタンが設けられて
いてもよい。
【０２２１】
さらに、実施の形態２の表示装置を用いてパネル１０１２を構成してもよい。
【０２２２】
さらに、タッチパネルを用いてパネル１０１２を構成してもよい。これにより、パネル１
０１２においてタッチ検出を行うことができる。タッチパネルとしては、例えば光学式タ
ッチパネル、静電容量式タッチパネル、抵抗膜式タッチパネルなどを適用できる。
【０２２３】
ボタン１０１３は、筐体１０１１に設けられる。例えば、ボタン１０１３が電源ボタンで
あれば、ボタン１０１３を押すことにより、電子機器のオン状態を制御できる。
【０２２４】
スピーカー１０１４は、筐体１０１１に設けられる。スピーカー１０１４は音声を出力す
る。
【０２２５】
なお、筐体１０１１にマイクが設けられていてもよい。筐体１０１１にマイクを設けられ
ることにより、例えば図７（Ａ）に示す電子機器を電話機として機能させることができる
。
【０２２６】
図１１（Ａ）に示す電子機器は、例えば電話機、電子書籍、パーソナルコンピュータ、及
び遊技機の一つ又は複数としての機能を有する。
【０２２７】
図１１（Ｂ）に示す電子機器は、折り畳み式の情報端末の一例である。
【０２２８】
図１１（Ｂ）に示す電子機器は、筐体１０２１ａと、筐体１０２１ｂと、筐体１０２１ａ
に設けられたパネル１０２２ａと、筐体１０２１ｂに設けられたパネル１０２２ｂと、軸
部１０２３と、ボタン１０２４と、接続端子１０２５と、記録媒体挿入部１０２６と、ス
ピーカー１０２７と、を備える。
【０２２９】
筐体１０２１ａと筐体１０２１ｂは、軸部１０２３により接続される。
【０２３０】
さらに、実施の形態２の表示装置を用いてパネル１０２２ａ及び１０２２ｂを構成しても
よい。
【０２３１】
さらに、タッチパネルを用いてパネル１０２２ａ及び１０２２ｂを構成してもよい。これ
により、パネル１０２２ａ及び１０２２ｂにおいてタッチ検出を行うことができる。タッ
チパネルとしては、例えば光学式タッチパネル、静電容量式タッチパネル、抵抗膜式タッ
チパネルなどを適用できる。
【０２３２】
図１１（Ｂ）に示す電子機器は、軸部１０２３を有するため、パネル１０２２ａとパネル
１０２２ｂを対向させて折り畳むことができる。
【０２３３】
ボタン１０２４は、筐体１０２１ｂに設けられる。なお、筐体１０２１ａにボタン１０２
４を設けてもよい。例えば、ボタン１０２４が電源ボタンであれば、ボタン１０２４を押
すことにより、電子機器のオン状態を制御できる。
【０２３４】
接続端子１０２５は、筐体１０２１ａに設けられる。なお、筐体１０２１ｂに接続端子１
０２５が設けられていてもよい。また、接続端子１０２５が筐体１０２１ａ及び筐体１０
２１ｂの一方又は両方に複数設けられていてもよい。接続端子１０２５は、図１１（Ｂ）
に示す電子機器と他の機器を接続するための端子である。
【０２３５】
記録媒体挿入部１０２６は、筐体１０２１ａに設けられる。筐体１０２１ｂに記録媒体挿
入部１０２６が設けられていてもよい。また、記録媒体挿入部１０２６が筐体１０２１ａ
及び筐体１０２１ｂの一方又は両方に複数設けられていてもよい。例えば、記録媒体挿入
部にカード型記録媒体を挿入することにより、カード型記録媒体のデータを電子機器に読
み出し、又は電子機器内のデータをカード型記録媒体に書き込むことができる。
【０２３６】
スピーカー１０２７は、筐体１０２１ｂに設けられる。スピーカー１０２７は、音声を出
力する。なお、筐体１０２１ａにスピーカー１０２７を設けてもよい。
【０２３７】
なお、筐体１０２１ａ又は筐体１０２１ｂにマイクを設けてもよい。筐体１０２１ａ又は
筐体１０２１ｂにマイクが設けられることにより、例えば図１１（Ｂ）に示す電子機器を
電話機として機能させることができる。
【０２３８】
図１１（Ｂ）に示す電子機器は、例えば電話機、電子書籍、パーソナルコンピュータ、及
び遊技機の一つ又は複数としての機能を有する。
【０２３９】
図１１（Ｃ）に示す電子機器は、据え置き型情報端末の一例である。図１１（Ｃ）に示す
電子機器は、筐体１０３１と、筐体１０３１に設けられたパネル１０３２と、ボタン１０
３３と、スピーカー１０３４と、を具備する。
【０２４０】
さらに、実施の形態２の表示装置を用いてパネル１０３２を構成してもよい。
【０２４１】
さらに、タッチパネルを用いてパネル１０３２を構成してもよい。これにより、パネル１
０３２においてタッチ検出を行うことができる。タッチパネルとしては、例えば光学式タ
ッチパネル、静電容量式タッチパネル、抵抗膜式タッチパネルなどを適用できる。
【０２４２】
なお、筐体１０３１の甲板部１０３５にパネル１０３２と同様のパネルを設けてもよい。
【０２４３】
さらに、筐体１０３１に券などを出力する券出力部、硬貨投入部、及び紙幣挿入部などを
設けてもよい。
【０２４４】
ボタン１０３３は、筐体１０３１に設けられる。例えば、ボタン１０３３が電源ボタンで
あれば、ボタン１０３３を押すことにより、電子機器のオン状態を制御できる。
【０２４５】
スピーカー１０３４は、筐体１０３１に設けられる。スピーカー１０３４は、音声を出力
する。
【０２４６】
図１１（Ｃ）に示す電子機器は、例えば現金自動預け払い機、チケットなどの注文をする
ための情報通信端末（マルチメディアステーションともいう）、又は遊技機としての機能
を有する。
【０２４７】
図１１（Ｄ）は、据え置き型情報端末の一例である。図１１（Ｄ）に示す電子機器は、筐
体１０４１と、筐体１０４１に設けられたパネル１０４２と、筐体１０４１を支持する支
持台１０４３と、ボタン１０４４と、接続端子１０４５と、スピーカー１０４６と、を備
える。
【０２４８】
なお、筐体１０４１に外部機器に接続させるための接続端子を設けてもよい。
【０２４９】
さらに、実施の形態２の表示装置を用いてパネル１０４２を構成してもよい。
【０２５０】
さらに、タッチパネルを用いてパネル１０４２を構成してもよい。これにより、パネル１
０４２においてタッチ検出を行うことができる。タッチパネルとしては、例えば光学式タ
ッチパネル、静電容量式タッチパネル、抵抗膜式タッチパネルなどを適用できる。
【０２５１】
ボタン１０４４は、筐体１０４１に設けられる。例えば、ボタン１０４４が電源ボタンで
あれば、ボタン１０４４を押すことにより、電子機器のオン状態を制御できる。
【０２５２】
接続端子１０４５は、筐体１０４１に設けられる。接続端子１０４５は、図１１（Ｄ）に
示す電子機器と他の機器を接続するための端子である。例えば、接続端子１０４５により
図１１（Ｄ）に示す電子機器とパーソナルコンピュータを接続すると、パーソナルコンピ
ュータから入力されるデータ信号に応じた画像をパネル１０４２に表示させることができ
る。例えば、図１１（Ｄ）に示す電子機器のパネル１０４２が接続する他の電子機器のパ
ネルより大きければ、当該他の電子機器の表示画像を拡大することができ、複数の人が同
時に視認しやすくなる。
【０２５３】
スピーカー１０４６は、筐体１０４１に設けられる。スピーカー１０４６は、音声を出力
する。
【０２５４】
図１１（Ｄ）に示す電子機器は、例えば出力モニタ、パーソナルコンピュータ、及びテレ
ビジョン装置の一つ又は複数としての機能を有する。
【０２５５】
以上が図１１に示す電子機器の例の説明である。
【０２５６】
図１１を参照して説明したように、本実施の形態に係る電子機器では、パネルに実施の形
態２の表示装置を用いたパネルを設けることにより、信頼性の高い電子機器を提供できる
。
【符号の説明】
【０２５７】
１１    トランジスタ
１２    トランジスタ
１３    トランジスタ
１４    トランジスタ
１５    トランジスタ
３１    パルス出力回路
３２    保護回路
３３    保護回路
６１    トランジスタ
６２    トランジスタ
６３    トランジスタ
６４    トランジスタ
６５    トランジスタ
６６    トランジスタ
６７    トランジスタ
６８    トランジスタ
６９    トランジスタ
７０    トランジスタ
７１    トランジスタ
７２    トランジスタ
７３    トランジスタ
７４    トランジスタ
７５    トランジスタ
７６    トランジスタ
２０１    画素部
２０２    駆動回路部
２１１    画素回路
２２１    ゲートドライバ
２２３    ソースドライバ
２２５    保護回路
２３０    液晶素子
２３１＿１    トランジスタ
２３１＿２    トランジスタ
２３３＿１    容量素子
２３３＿２    容量素子
２３４    トランジスタ
２３５    発光素子
３１１    期間
３１２    期間
３１３    期間
７００    基板
７０１    絶縁層
７０３ａ    導電層
７０３ｂ    導電層
７０３ｃ    導電層
７０４    絶縁層
７０５ａ    半導体層
７０５ｂ    半導体層
７０６ａ    導電層
７０６ｂ    導電層
７０６ｃ    導電層
７０６ｄ    導電層
７０７    絶縁層
７０８    絶縁層
７０９ａ    導電層
７０９ｂ１    導電層
７０９ｂ２    導電層
７１０    絶縁層
７１１    導電層
７１２    導電層
７２０    基板
７２１    導電層
７２２    着色層
７２３    絶縁層
７５０    液晶層
７５１    シール材
７６０    液晶層
１０１１    筐体
１０１２    パネル
１０１３    ボタン
１０１４    スピーカー
１０２１ａ    筐体
１０２１ｂ    筐体
１０２２ａ    パネル
１０２２ｂ    パネル
１０２３    軸部
１０２４    ボタン
１０２５    接続端子
１０２６    記録媒体挿入部
１０２７    スピーカー
１０３１    筐体
１０３２    パネル
１０３３    ボタン
１０３４    スピーカー
１０３５    甲板部
１０４１    筐体
１０４２    パネル
１０４３    支持台
１０４４    ボタン
１０４５    接続端子
１０４６    スピーカー
【図１】
2020098660.tif 000003
【図２】
2020098660.tif 000004
【図３】
2020098660.tif 000005
【図４】
2020098660.tif 000006
【図５】
2020098660.tif 000007
【図６】
2020098660.tif 000008
【図７】
2020098660.tif 000009
【図８】
2020098660.tif 000010
【図９】
2020098660.tif 000011
【図１０】
2020098660.tif 000012
【図１１】
2020098660.tif 000013